(57)【要約】【課題】持ち歩いて連続的に計測でき生活行動の記録とリンクして健康管理できる生体情報計測システムを提供することである。【解決手段】本生体情報計測は、人体の生体情報を計測するために必要な物理量、化学量又は物理的・化学的性質を検出するためのセンサ５０を含みユーザーの生体情報を計測する生体情報計測部４０と、生体情報の計測日時を取得する計測日時取得部６０と、ユーザーの生体情報の計測をトリガとして、記録させる生活行動情報の入力受け付け画面を表示して生活行動情報の入力を受け付け、受け付けた生活行動情報にもとづき、ユーザーの生活行動を計測された生体情報または計測日時に関連づけて記録する生活行動記録処理部３０とを含む。【選択図】      図１
2007050162.tif 000002
【特許請求の範囲】
【請求項１】
生体情報計測システムであって、
人体の生体情報を計測するために必要な物理量、化学量又は物理的・化学的性質を検出するためのセンサを含みユーザーの生体情報を計測する生体情報計測部と、
生体情報の計測日時を取得する計測日時取得部と、
ユーザーの生体情報の計測をトリガとして、記録させる生活行動情報の入力受け付け画面を表示して生活行動情報の入力を受け付け、受け付けた生活行動情報にもとづき、ユーザーの生活行動を計測された生体情報または計測日時に関連づけて記録する生活行動記録処理部と、
を含むことを特徴とする生体情報計測システム。
【請求項２】
請求項１において、
ユーザーの指により操作可能な押下部を含み、
前記生体情報計測部は、
押下部への接触を検出すると、前記センサが押下部に接触した人体の生体情報を計測することを特徴とする生体情報計測システム。
【請求項３】
請求項１乃至２のいずれかにおいて、
通信処理部をさらに含み、
前記通信処理部は、
生体計測情報を含む送信情報生成し、予め指定された送信先に送信することを生体情報送信処理部を含むことを特徴とする生体情報計測システム。
【請求項４】
請求項１乃至３のいずれかにおいて、
画像を撮影する撮像部を含み、
前記生活行動記録処理部は、
ユーザーの生体情報の計測をトリガとして、記録させる画像の撮影を指示し、指示に応じて撮像部により撮影された画像を計測された生体情報または計測日時に関連づけて記録することを特徴とする生体情報計測システム。
【請求項５】
請求項１乃至４のいずれかにおいて、
前記生活行動記録処理部は、
前記生活行動記録用の表示画像として、生活行動情報として記録すべき行動やイベント項目の表示を行い、ユーザーから記録すべき項目の選択入力を受け付け、選択された項目に対応した生活行動を計測された生体情報または計測日時に関連づけて記録することを特徴とする生体情報計測システム。
【請求項６】
請求項５において、
前記生活行動記録処理部は、
生活行動情報として記録すべき行動やイベント項目の登録又は変更を受け付ける項目設定処理部を含み、
ユーザーによって登録又は変更設定された項目に基づき行動やイベントの項目表示を行うことを特徴とする生体情報計測システム。
【請求項７】
請求項５乃至６のいずれかにおいて、
前記生活行動記録処理部は、
項目の入力受け付け画面が表示される日時およびユーザーの項目選択履歴の少なくとも１つに基づき表示項目の内容を変更する項目変更処理部を含むことを特徴とする生体情報計測システム。
【請求項８】
請求項２乃至７のいずれかの生体情報計測システムを含む携帯用電子機器であって、
前記携帯用電子機器に対する操作入力を行うための入力手段と、
前記入力手段から入力された操作入力情報に基づき所与の処理を行う処理手段と、を含み、
前記入力手段は、
前記押下部を携帯用電子機器の操作入力を行うための押下部と共用することを特徴とする携帯用電子機器。
【発明の詳細な説明】
【技術分野】
【０００１】
本発明は、生体情報計測システム及び携帯用電子機器に関する。
【背景技術】
【０００２】
健康志向の高まりから脈波等の生体情報を簡単に取得できる計測器に対するニーズが高まっている。本願発明者は、ユーザーが利用しやすい形式で簡単に脈波等の生体情報を取得可能な計測器の開発を行っている。
【０００３】
脈波計測測定用固定具としては特開昭６２−１８３７４１号に開示される従来技術がある。
【特許文献１】特開昭６２−１８３７４１号
【発明の開示】
【発明が解決しようとする課題】
【０００４】
生体情報の継続的な記録機能を有する携帯機器としては、ストップウオッチ兼脈拍計測装置などで、運動中のラップタイム、最高脈拍数などの履歴をとれるものがあった。また海外のゴルフウオッチなどではゴルフのプレー中のストローク数、クラブ別の飛距離など集計できるものがあった。
【０００５】
しかし連続的に計測できるのみで、生活行動の記録とリンクして健康管理できるものは無かった。
【０００６】
本発明は、以上のような技術的課題に鑑みてなされたものであり、持ち歩いて連続的に計測でき生活行動の記録とリンクして健康管理できる生体情報計測システムを提供することである。
【課題を解決するための手段】
【０００７】
（１）本発明は、
生体情報計測システムであって、
人体の生体情報を計測するために必要な物理量、化学量又は物理的・化学的性質を検出するためのセンサを含みユーザーの生体情報を計測する生体情報計測部と、
生体情報の計測日時を取得する計測日時取得部と、
ユーザーの生体情報の計測をトリガとして、記録させる生活行動情報の入力受け付け画面を表示して生活行動情報の入力を受け付け、受け付けた生活行動情報にもとづき、ユーザーの生活行動を計測された生体情報または計測日時に関連づけて記録する生活行動記録処理部と、
を含むことを特徴とする。
【０００８】
ここにおいて人体の生体情報とは、例えば脈拍、歩数、運動量、体温等である。
【０００９】
センサとは、物理量、化学量又は物理的・化学的性質を信号処理が可能な連続量又は離散量に変換する素子又は装置である。センサはターゲットに関する生体情報をセンシングするものであればよく、例えば脈波センサでも良いし、温度センサでもよいし、加速度センサでもよい。
【００１０】
例えばセンサとしてフォトセンサを用いて脈波を計測するようにしてもよい。
【００１１】
例えばセンサとしてサーモパイルを用いて体温を計測するようにしてもよい。
【００１２】
また例えばセンサとして加速度センサを用いて歩数や運動量を計測するようにしてもよい。
【００１３】
計測日時取得部は例えば生体情報の計測をトリガとして内部時計より日時を取得するようにしてもよい。
【００１４】
生活行動情報の入力受け付け画面は、ユーザーの生体情報の計測をトリガとして表示される（例えば計測中又は計測後に表示される）。ここで生活行動情報とは、起床、食事、運動前、運動後、就寝などの生活や行動に関するイベントである。
【００１５】
生活行動情報の入力受け付け画面では、例えば起床、食事、運動前、運動後、就寝などの生活や行動に関するイベントの項目一覧を表示し、一覧の中から入力項目を選択するようにしてもよい。また入力項目の内容をテキスト情報でとして直接キー入力するようにしてもよい。
【００１６】
生活行動記録処理部は、例えばＣＰＵとソフトウエアとで実現することができる。
【００１７】
本発明によれば、健康管理に必要な生体計測（脈拍、歩数、運度量、体温等の計測）をトリガとして、生活行動をリアルタイムで記録していくことができる。このように食事、睡眠、運動といった生活習慣と健康管理のための計測と時刻をリンクさせて記録していくことで継続的な把握が可能となる。
【００１８】
しかも各記録ポイントは、生体情報（健康管理に使える）の計測値とリンクして記録されているので、生活行動の記録とリンクした健康管理や生活習慣改善アシストも行うことができる。
【００１９】
（２）本発明の生体情報計測システムは、
ユーザーの指により操作可能な押下部を含み、
前記生体情報計測部は、
押下部への接触を検出すると、前記センサが押下部に接触した人体の生体情報を計測することを特徴とする。
【００２０】
押下部に接触したターゲットの生体情報が計測可能な位置にセンサを配置し、押下部への接触を検出して接触検出信号を出力し、接触検出信号を開始トリガとして、ターゲットの生体所与の情報を計測してもよい。
【００２１】
このようにセンサをスイッチ（押下部）内部に設けると、特にセンサに指を当てるというような不自然な行動をしなくても、スイッチを「押す」という「誰もが身に付いた行動の間」に必要な計測を行ってしまえるという効果がある。
【００２２】
そしてスイッチを押されたタイミングで計測することで、センシング可能な位置にターゲットが存在することが担保できるので、正しい計測が行われていることの保証となる。
【００２３】
指から取得できる生態情報とは、例えば人体の脈、体温、皮膚抵抗等である。
【００２４】
本発明によれば、ユーザーが指をスイッチに接触させることで、センサはユーザーの指に関連して取得できる物理量、化学量又は物理的・化学的性質をセンシングし、センシング結果に基づきユーザーの生体情報の計測を行う。
【００２５】
従ってスイッチを押下するという自然な操作でユーザーの生体情報を計測できる生体情報計測システムを提供することができる。
【００２６】
（３）本発明の生体情報計測システムは、
通信処理部をさらに含み、
前記通信処理部は、
生体計測情報を含む送信情報生成し、予め指定された送信先に送信することを生体情報送信処理部を含むことを特徴とする。
【００２７】
送信情報は生体計測情報のみを含むようにしてもよいし、生体計測情報と計測日時情報を含むようにしてもよいし、生体計測情報と計測日時情報と生活行動情報を含むようにしてもよい。
【００２８】
例えばサーバ装置のデータベースにデータを蓄積する場合や、所定のサーバ装置生体情報の診断を行ってもらう場合や、所定のサーバ装置を介して医師や専門家の指導をうける場合には、所定のサーバ装置のアドレスを送信先として指定しておくようにしてもよい。
【００２９】
また例えば、家族等の携帯電話等に生体情報を定期的に送信するような場合にはその携帯電話のメールアドレス等を送信先として指定しておくようにしてもよい。
【００３０】
（４）本発明の生体情報計測システムは、
画像を撮影する撮像部を含み、
前記生活行動記録処理部は、
ユーザーの生体情報の計測をトリガとして、記録させる画像の撮影を指示し、指示に応じて撮像部により撮影された画像を計測された生体情報または計測日時に関連づけて記録することを特徴とする。
【００３１】
例えば撮像部で食事の画像を撮影して生体情報に関連付けて記録するようにしてもよい。食事の内容を画像として記録しておくことで、その画像に基づきカロリー計算を行ったり、食事の栄養チェックを行ったりして健康管理に役立てることができる。
【００３２】
（５）本発明の生体情報計測システムは、
前記生活行動記録処理部は、
前記生活行動記録用の表示画像として、生活行動情報として記録すべき行動やイベント項目の表示を行い、ユーザーから記録すべき項目の選択入力を受け付け、選択された項目に対応した生活行動を計測された生体情報または計測日時に関連づけて記録することを特徴とする。
【００３３】
（６）本発明の生体情報計測システムは、
前記生活行動記録処理部は、
生活行動情報として記録すべき行動やイベント項目の登録又は変更を受け付ける項目設定処理部を含み、
ユーザーによって登録又は変更設定された項目に基づき行動やイベントの項目表示を行うことを特徴とする。
【００３４】
記録したい項目はすべてのユーザーに共通する項目もあれば、特定のユーザのみに必要な項目もある。例えば喫煙はたばこを吸わないユーザーには不要な項目であり、運転や料理も日頃これらの行動を行わないユーザーには不要である。また特殊な日課や趣味等、そのユーザー独自のパーソナルな項目も存在する。
【００３５】
本発明によれば使用しない項目を削除したり、必要な項目を新たに追加できるので、不要な項目がなくなるので項目選択が行いやすくなる。また表示画面のスペースに限りがある場合、項目数を減らすことで余分なスクロール操作等を削減することができる。
【００３６】
またユーザー独自の新たな項目も追加できるので、ユーザーの多様なニーズを満たす記録を行うことができる。
【００３７】
（７）本発明の生体情報計測システムは、
前記生活行動記録処理部は、
項目の入力受け付け画面が表示される日時およびユーザーの項目選択履歴の少なくとも１つに基づき表示項目の内容を変更する項目変更処理部を含むことを特徴とする。
【００３８】
ここにおいて日時には曜日も含むようにしてもよい。
【００３９】
例えば夜であれば（具体的には夜として設定された時間帯であれば）、起床という項目の優先順位をさげ、就寝という項目の優先順位を上げるようにしてもよい。
【００４０】
また曜日が土曜、日曜であれば仕事という項目の優先順位をさげ、趣味やレジャーに関する項目の優先順位を上げるようにしてもよい。
【００４１】
またユーザーの項目選択履歴から日時及び曜日と選択される項目の相関関係をとり、相関関係の高い項目の優先順位をあげ、相関関係の低い項目の優先順位を下げるようにしてもよい。
【００４２】
（８）本発明は、上記のいずれかの生体情報計測システムを含む携帯用電子機器であって、
前記携帯用電子機器に対する操作入力を行うための入力手段と、
前記入力手段から入力された操作入力情報に基づき所与の処理を行う処理手段と、を含み、
前記入力手段は、
前記押下部を携帯用電子機器の操作入力を行うための押下部と共用することを特徴とする。
【発明を実施するための最良の形態】
【００４３】
以下、本発明の好適な実施の形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００４４】
図１は、本実施の形態の生体情報計測システム１０の機能ブロック図の一例である。なお、本実施形態の生体情報計測システム１０は、図１の構成要素（各部）を全て含む必要はなく、その一部を省略した構成としてもよい。
【００４５】
本実施形態の生体情報計測システム１０は、処理部２０、生体情報計測部４０、計測日時取得部６０、通信処理部７０、データ記録部８０、表示部９０を含む。
【００４６】
処理部２０（プロセッサ）は、操作部１００からの操作データやプログラムなどに基づいて、生体情報計測システムを動作させるための各種処理などを行うもので、生活行動記録処理部３０として機能する。処理部２０の機能は各種プロセッサ（ＣＰＵ、ＤＳＰ等）、ＡＳＩＣ（ゲートアレイ等）などのハードウェアや、プログラムにより実現できる。
【００４７】
生活行動記録処理部３０は、ユーザーの生体情報の計測をトリガとして、記録させる生活行動情報の入力受け付け画面を表示部９０に表示させ、操作部１００から生活行動情報の入力を受け付け、受け付けた生活行動情報にもとづき、ユーザーの生活行動を計測された生体情報または計測日時に関連づけてデータ記録部８０に記録する処理を行う。
【００４８】
生体情報計測部４０は、人体の生体情報（脈、体温、運動量（歩数を含む）の少なくとも一つ）を計測するために必要な物理量、化学量又は物理的・化学的性質を検出するためのセンサ５０を含み、ユーザーからのセンシング入力に基づき当該センサでユーザーの生体情報を計測する。生体情報計測部４０は、センサ５０、ＡＦＥ（アナログフロントエンド回路）、Ｉ／Ｆマイクロコンピュータ等の実現可能で、センサ４０の出力する生体情報計測値（アナログデータ）をＡＦＥを介してＩ／Ｆマイクロコンピュータ入力し、Ｉ／Ｆマイクロコンピュータでデジタルデータに変換された生体情報計測値を処理部に出力するようにしてもよい。
【００４９】
センサ５０は、ターゲットに関する生体情報をセンシングするものであればよく、例えば脈波センサでも良いし、温度センサでもよいし、加速度センサでもよい。例えばセンサとしてフォトセンサを用いて脈波を計測するようにしてもよい。
【００５０】
例えばセンサとしてサーモパイルを用いて体温を計測するようにしてもよい。また例えばセンサとして加速度センサを用いて歩数や運動量を計測するようにしてもよい。
【００５１】
計測日時取得部６０は、生体情報の計測日時を取得するのもで、例えば内部時計等により実現できる。
【００５２】
通信処理部７０は、外部（例えばホスト装置や他の端末機）との間で通信を行うための各種の制御を行うものであり、その機能は、各種プロセッサ又は通信用ＡＳＩＣなどのハードウェアや、プログラムなどにより実現できる。
【００５３】
通信処理部７０は、生体計測情報を含む送信情報生成し、予め指定された送信先に送信することを生体情報送信処理部として機能する。
【００５４】
記録データ記憶部８０は、計測された生体情報、計測日時、生活行動情報等が記憶されるもので、ＲＡＭ、ＳＤＲＡ、光ディスク（ＣＤ、ＤＶＤ等）、光磁気ディスク（ＭＯ）、磁気ディスク、ハードディスク等の書き換え可能な情報記憶媒体により実現される。
【００５５】
操作部１００は、ユーザーの操作等をデータとして入力するためのものであり、その機能は、操作ボタン、操作レバー、タッチパネル或いはマイクなどのハードウェアにより実現できる。
【００５６】
表示部９０は、処理部の表示制御によって画像を出力するものであり、その機能は、ＬＣＤ（液晶ディスプレイ）、ＯＥＬＤ(有機ＥＬディスプレイ)、ＰＤＰ（プラズマディスプレイパネル）、タッチパネル型ディスプレイなどのハードウェアにより実現できる。
【００５７】
図２は、記録データ記憶部に記憶されている記録データについて説明するための図である。
【００５８】
記録データ２００は、生体情報の計測値２１０に対応付けて、計測日時２２０、行為やタイミングを含む生活行動情２３０が記憶されている。
【００５９】
行為やタイミングを含む生活行動情報２３０は、行為やタイミングの内容を特定する情報や、行為やタイミングに関連付けて撮影された画像データ等が記憶されている。行為やタイミングとは、例えば起床、食事、トイレ、入浴、就寝等の日常生活におけるユーザーの行為やタイミング等である。また行為やタイミングに関連付けて撮影された画像データとは、例えば、食べた食事を撮影した画像等である。
【００６０】
図３は記録される行為やタイミングの項目について説明するための図である。
【００６１】
記録される行為やタイミングには、例えば起床、食事、運動前、中断、後、飲酒、トイレ、入浴、就寝等の健康に直接関係するような生活行動でもよいし、ＴＶ、映画、音楽、読書、運転、喫煙、ＰＣ操作、買い物、料理、仕事、ギャンブル、電話、メール等の趣味や日常生活のイベントでもよい。また相性占いや緊張度チェックや相手の脈拍計測等の遊びに関するイベントでもよい。
【００６２】
本実施の形態では、生体情報計測をトリガとして生体情報取得時に関連付けて記録させる行為やタイミングを含む生活行動情報を入力するための画像を表示してユーザーからの入力を受け付ける。
【００６３】
前記生活行動記録用の表示画像として、生活行動情報として記録すべき行動やイベント項目（例えば図３に示すような項目）のメニュー表示を行い、ユーザーから記録すべき項目の選択入力を受け付けるようにしてもよい。このようにすると、ユーザーは入力の手間がかからないので、生活行動の記録を継続的することが容易になる。
【００６４】
上記で列記した項目は基本パターンの一例であるが、すべてのユーザーに共通するする項目もあれば、特定のユーザのみに必要な項目もある。例えば喫煙はたばこを吸わないユーザーには不要な項目であり、運転や料理も日頃これらの行動を行わないユーザーには不要である。また特殊な日課や趣味等、そのユーザー独自のパーソナルな項目も存在する。
【００６５】
そこで各ユーザーにとって生活行動情報として記録すべき行動やイベントパターンのメニュー項目のユーザーによる登録又は変更を受け付け、ユーザーによる登録又は変更設定されたメニュー項目に基づき行動やイベントパターンのメニュー表示を行うようにしてもよい。
【００６６】
例えば使用しない項目を削除したり、必要な項目を新たに追加できるようにしてもよい。このようにすると不要な項目がなくなるので項目選択が行いやすくなる。また表示画面のスペースに限りがある場合、項目数を減らすことで余分なスクロール操作等を削減することができる。
【００６７】
またメニューを表示すべき日時およびユーザー履歴の少なくとも１つに基づき表示項目の内容を変更するようにしてもよい。
【００６８】
すなわち例えば夜であれば（具体的には夜として設定された時間帯であれば）、起床という項目の優先順位をさげ、就寝という項目の優先順位を上げるようにしてもよい。
【００６９】
また曜日が土曜、日曜であれば仕事という項目の優先順位をさげ、趣味やレジャーに関する項目の優先順位を上げるようにしてもよい。
【００７０】
またユーザーの選択履歴から日時及び曜日と選択される項目の相関関係をとり、相関関係の高い項目の優先順位をあげ、相関関係の低い項目の優先順位を下げるようにしてもよい。
【００７１】
図４は、本実施の形態の記録データに基づき作成された健康日記である。
本実施の形態では、記録データ記憶部に記憶されている記録データを編集して、例えば図４に示すようなレポートを生成することができる。
【００７２】
このようにすると、自己の生体情報と日々の行為やイベントを継続的に把握することができるので、健康管理や生活行動の改善の参考にすることができる。
【００７３】
図５は、本実施の形態の生体情報計測部の構成を説明するための機能ブロック図である。
【００７４】
本実施の形態の生体情報計測部はセンサ内蔵スイッチとして構成するようにしてもよい。センサ内蔵スイッチ１１０は、押下部への接触を検出して接触検出信号１２８を出力するスイッチ１２０と、押下部に接触したターゲットの生体情報を計測する計測部（５０，４０、３０）を含む。
【００７５】
計測部（５０，４０、３０）は、ターゲットの所与の情報を計測するために必要な物理量、化学量又は物理的・化学的性質を検出可能な位置に配置されたセンサ１３０を含み、押下部（スイッチ）への前記接触検出信号１２８を開始トリガとして、人体の生体情報を計測する。
【００７６】
センサ１３０は人体の生体情報をセンシングするものであればよく、例えば光検出機でもよいし、フォトセンサでもよいし、サーモパイルでもよいし、イメージセンサでもよいし、サーミスタでもよいし、他のセンサでもよい。
【００７７】
前記接触検出信号を開始トリガとして、人体の生体情報情報を計測するとは、例えばセンサ自体が接触検出信号によりＯＮ状態となりセンシングを行う場合でもよいし、センサ自体は常時センシングを行っているが、接触検出信号によりセンサの検出結果を利用して計測を行う範囲を決定するような場合でもよい。
【００７８】
押下部は、ユーザーの指により操作されるように構成され、前記センサは、押下部に接触した指の生体情報を計測するための情報を検出するように構成してもよい。
【００７９】
センサ１３０が光検出型である場合には、指と押下部の隙間から外光が入ることによる外乱を防止するための外乱防止部１４０を含むようにしてもよい。
【００８０】
またスイッチの内部にセンサ１３０及びセンサの駆動に必要な回路（センサ補助装置１５０）を組み込むようにしてもよい。例えばセンサがターゲットに反射した光を検出するフォトセンサである場合には、センサ補助装置としてＬＥＤ等を設けるようにしてもよい。
【００８１】
本実施の形態によればセンサがスイッチ内部にあるため、特にセンサに指を当てるというような不自然な行動をしなくても、スイッチを「押す」という「誰もが身に付いた行動の間に必要な計測を行ってしまえるという効果がある。
【００８２】
そしてスイッチを押されたタイミングで計測することで、センシング可能な位置にターゲットが存在することが担保できるので、正しい計測が行われていることの保証となる。
【００８３】
図６は生体情報として脈波を測定する場合の生体情報計測部の構成の一例について説明するための図である。
【００８４】
生体情報計測部として機能する脈波測定用センサ内蔵スイッチ２２０は、スイッチ１２０の内部にフォトセンサ１３０と、センサ補助装置として機能するＬＥＤ１５０と、外乱防止装置として機能する外乱光防止用ラバー１４０を含む。
【００８５】
ＬＥＤ１５０はＬＥＤ駆動電源１５２に接続され、スイッチの表面に接触したターゲット（ここでは人体の指２００）に対し光を照射可能な位置に配置される。
【００８６】
ＬＥＤ１５０は、押下部に接触しているターゲットに対し検出用の光を照射する光照射部として機能する。
【００８７】
フォトセンサ１３０はフォトセンサ電源１３２に接続され、スイッチの表面に接触したターゲット（ここでは人体の指２００）からの反射光を受光可能な位置に配置される。
【００８８】
脈波測定用センサ内蔵スイッチ２２０の押下部１２２（スイッチの表面の指が触れる部分）は、ユーザーの指２００により操作されるように構成され、センサ（ここではフォトセンサ１３０）は、押下部１２２に接触した指２００のヘモグロビン２１０に反射した光をセンシングする。
【００８９】
押下部１２２とセンサ（ここではフォトセンサ１３０）間は光通過部１２４が設けられ、この光通過部１２４を通過した光をフォトセンサ１３０が受光して、この受光量により押下部１２２に接触した指の脈波を計測する。
【００９０】
ここで指２００と押下部１２２の隙間から外光（外乱光１４２）が光通過部１２４に入ることを防止するための外乱防止部（外乱光防止用ラバー１４０）を含むようにしてもよい。
【００９１】
外乱防止部は例えば外光（外乱光１４２）が光通過部１２４に入ることを防止するために押下部の回りにゴム等の弾性体を配置して実現することもできる。
【００９２】
例えば押下部１２２の押下によって発生する接触検出信号によって、ＬＥＤから光１５４が照射されるようにしてもよい。そして光通過部１２４を通過した光１５４が押下部１２２におかれた指２００の血中に含まれるヘモグロビン２１０に当たると反射し、反射光１５６は、再び光通過部１２４を通過し、この反射光１５６をフォトセンサ１３０が受光する。フォトセンサは接触検出信号によって起動され、所与の期間反射光の受光量を検出し、受光量から測定値である脈波が演算される。
【００９３】
ここで光照射部（ここではＬＥＤ１５０）は、例えば近赤外線を発光し、フォトセンサ１３０は近赤外線を受光するようにしてもよい。ただしこの場合には外乱光が指を通過しやすい。
【００９４】
また光照射部（ここではＬＥＤ１５０）は、例えば青色光を発光し、フォトセンサ１３０は青色光を受光するようにしてもよい。このように押下部に接触しているターゲットに対し検出用の光を照射する光照射部を含み、前記センサは光照射部から照射された光のターゲットに対する反射光を受光するように構成されている場合に、光照射部は、検出用の光として青色光を照射するようにすると外乱光の影響を受けにくくなる。
【００９５】
図７は生体情報として温度を測定する場合の生体情報計測部の構成の一例について説明するための図である。
【００９６】
生体情報計測部として機能するサーモパイル内蔵スイッチ２３０は、スイッチ１２０の内部にセンサとして機能するサーモパイル２４０を含む。
【００９７】
サーモパイル２４０は、スイッチ１２０の表面に接触したターゲット（ここでは人体の指２００）の通過光２５０を受光可能な位置に配置される。
【００９８】
サーモパイル内蔵スイッチ２３０の押下部１２２（スイッチの表面の指が触れる部分）は、ユーザーの指２００により操作されるように構成され、センサ（ここではサーモパイル２４０）は、押下部１２２に接触した指２００からでる赤外線を検出する。
【００９９】
センサ（ここではサーモパイル２４０）は、押下部１２２とセンサ（ここではサーモパイル２４０）間に設けられた光通過部１２４を通過した赤外線２５０を受光して、この受光量により、押下部１２２に接触した指の温度を計測するよう構成される。
【０１００】
ここでは押下部１２２の形状を、指をおいた時に指にマッチした外形（例えば凹部１２６）が形成されるようにして、この凹部１２６から光通過部１２４へ光が通過するように形成することで、押下部１２２に指２００をおいた時に外光（外乱光１４２）が光通過部１２４に入ることを防止している。
【０１０１】
なお例えば外光（外乱光１４２）が光通過部１２４に入ることを防止するために押下部の回りにゴム等の弾性体を外乱防止部として配置するようにしてもよい。
【０１０２】
図８（Ａ）〜（Ｄ）は、本実施の形態の電子機器の一例について説明するための図である。ここでは本実施の形態のセンサ内蔵スイッチを携帯電話のスイッチと共用する例について示した図である。
【０１０３】
例えば図８（Ａ）に示すように携帯電話３００の正面（ディスプレイがある面）のスイッチ３０２と共用しても良い。
【０１０４】
また図８（Ｂ）に示すように携帯電話３００の上部（ディスプレイがある部分）３１０と下部（入力用のボタンがある部分）３２０の接続部３３０の側面のスイッチ３３２と共用しても良い。
【０１０５】
また図８（Ｃ）に示すように携帯電話３００の側面３４０のスイッチ３４２と共用しても良い。
【０１０６】
また図８（Ｄ）に示すように携帯電話３００の上部（ディスプレイがある部分）３１０のスイッチ３１２と共用しても良い。
【０１０７】
本実施の形態のセンサ内蔵スイッチを含む電子機器（例えば携帯電話）は、前記電子機器に対する操作入力を行うための入力手段（携帯電話の操作ボタン）と、前記入力手段から入力された操作入力情報に基づき所与の処理（携帯電話の機能を実現するために各種処理）を行う処理手段と、を含み、前記入力手段は、少なくとも１つの操作入力を行うための押下部を前記センサ内蔵スイッチの押下部と共用するように構成することができる。
【０１０８】
このように普段常時携帯する可能性の高い携帯電話等の入力用のスイッチ部分に本実施の形態のセンサ内蔵スイッチを適用することで、いつでもどこでも計測可能な生体情報計測装置を実現することができる。
【０１０９】
また形態機器の入力操作部の押下部と本実施の形態の押下部を共用することで、特にセンサに指を当てるという不自然な行動をしなくても、スイッチを押すという「誰もが身についた行動」の間に必要な計測を行ってしまえるという利便性がある。
【０１１０】
さらに、ユーザーが意識的に計測を行う場合に限られず、携帯機器の利用の際にユーザーの意思にかかわらず計測を行うような設定にすることもできる。このようにすると、特に意識しなくても常時計測計測可能な生体情報計測装置を提供できるので、継続的に生体情報を取得し、生活行動と関連づけて記憶させることで健康管理に役立てることができる。
【０１１１】
図９は、本実施の形態の処理の流れを示すフローチャートである。
【０１１２】
生態情報取得用の押下部への接触を検出すると以下の処理を行う（ステップＳ１０）。
【０１１３】
センサは押下部を介して取得した情報に基づき生体情報を測定する（ステップＳ２０）。
【０１１４】
次に生体情報の計測日時を取得する（ステップＳ３０）。
【０１１５】
次に表示部に生活行動入力画像（生活行動項目一覧からの選択画面）を表示して、選択入力を受け付ける（ステップＳ４０）。ここで例えば画像入力がある場合には、撮影部による撮影を促すようにしてもよい。
【０１１６】
そして受け付けた生活行動情報を計測された生体情報または計測日時に関連づけて記憶部に記録させる（ステップＳ５０）。なお生活行動情報として画像入力がある場合には、画像データ（圧縮した画像データでもよい）を計測された生体情報または計測日時に関連づけて記憶部に記録させるようにしてもよい。
【０１１７】
図１０は、携帯電話を利用した本実施形態の生体情報計測システムの構成の一例である。
【０１１８】
本実施形態の生体情報計測システム（携帯電話）８００はネットワーク７００を介して管理サーバ６００と接続されている。
【０１１９】
なお、ネットワーク７００内には携帯電話８００のための基地局やパケットの分解組立装置、インターネット等が介在している。また、実際には複数の生体情報取得装置（携帯電話）８００がネットワーク７００を介して管理サーバ６００と接続されている。
【０１２０】
管理サーバ６００は、サーバ装置６１０とデータベース９００とを含む。サーバ装置６１０は、生体情報取得装置（携帯電話）８００から伝送路を介して送信される記録データ（生体情報（取得時刻も含む）に関連づけられた生活行動情報）を伴う処理要求に基づき、記録データをデータベース９００に保存する処理や記録データに対する解析や診断を行い返信する処理等を行う。
【０１２１】
ここで生体情報計測システム（携帯電話）８００から管理サーバ６００への処理要求のタイミングは、生体情報取得毎に随時行うようにしてもよいし、例えば１日1回所定のタイミングで１日分のデータをまとめて処理要求を行うようにしてもよい。
【０１２２】
データベースへの保存する際は、受信した記録データをユーザーＩＤ（処理要求を行った携帯電話等に対応して設定された識別ＩＤ）毎にデータベースに記録するようにしてもよい。
【０１２３】
図１１は、本実施形態の生体情報取得システム（携帯電話）と管理サーバの機能ブロック図の一例である。
【０１２４】
携帯電話８００は、処理部８２０と、生体情報計測部８４０と、計測日時所得部８６０を含む。
【０１２５】
処理部８２０は、キー入力部８１０からの操作データやプログラムなどに基づいて、生体情報計測システムを動作させるための各種処理などを行うもので、生活行動記録処理部８３０として機能する。処理部８２０の機能は各種プロセッサ（ＣＰＵ、ＤＳＰ等）、ＡＳＩＣ（ゲートアレイ等）などのハードウェアや、プログラムにより実現できる。
【０１２６】
生活行動記録処理部８３０は、ユーザーの生体情報の計測をトリガとして、記録させる生活行動情報の入力受け付け画面を表示部８９０に表示させ、キー入力部８１０から生活行動情報の入力を受け付け、受け付けた生活行動情報にもとづき、ユーザーの生活行動を計測された生体情報または計測日時に関連づけて記憶部８１２に記憶させる処理を行う。
【０１２７】
生体情報計測部８４０は、人体の生体情報（脈、体温、運動量（歩数を含む）の少なくとも一つ）を計測するために必要な物理量、化学量又は物理的・化学的性質を検出するためのセンサ８５０を含み、ユーザーからのセンシング入力に基づき当該センサでユーザーの生体情報を計測する。生体情報計測部４０は、センサ５０、ＡＦＥ（アナログフロントエンド回路）、Ｉ／Ｆマイクロコンピュータ等の実現可能で、センサ４０の出力する生体情報計測値（アナログデータ）をＡＦＥを介してＩ／Ｆマイクロコンピュータ入力し、Ｉ／Ｆマイクロコンピュータでデジタルデータに変換された生体情報計測値を処理部に出力するようにしてもよい。
【０１２８】
センサ８５０は、ターゲットに関する生体情報をセンシングするものであればよく、例えば脈波センサでも良いし、温度センサでもよいし、加速度センサでもよい。例えばセンサとしてフォトセンサを用いて脈波を計測するようにしてもよい。
【０１２９】
例えばセンサとしてサーモパイルを用いて体温を計測するようにしてもよい。また例えばセンサとして加速度センサを用いて歩数や運動量を計測するようにしてもよい。
【０１３０】
計測日時取得部８６０は、生体情報の計測日時を取得するのもで、例えば内部時計等により実現できる。
【０１３１】
送受信部８７０は、外部（例えばホスト装置や他の端末機）との間で通信を行うための各種の制御を行うものであり、その機能は、各種プロセッサ又は通信用ＡＳＩＣなどのハードウェアや、プログラムなどにより実現できる。
【０１３２】
送受信部８７０は、生体計測情報を含む送信情報生成し、予め指定された送信先に送信することを生体情報送信処理部として機能する
また記録データをサーバ装置のデータベースに保存する場合には、送受信部８７０は所定のタイミングで処理要求を生成してサーバ装置５１０に送信するようにしてもよい。
【０１３３】
また携帯電話８００は、文字入力キー等で構成されるキー入力部８１０と、ユーザーの音声を入力する音声入力部８１６と、処理中の情報を一時的に記憶する記憶部８１２と、処理画像をブラウザを用いて整形して液晶画面に表示する表示部８９０と、音声等の音を出力する音声出力部８１６とを含んで構成されている。
【０１３４】
一方サーバ装置５１０は、処理部５２０と記憶部５６０と情報記憶媒体５７０と送受信部５９０を含んでいる。
【０１３５】
送受信部５９０は携帯電話８００からの処理要求信号を受信し、処理結果を送信するもので、送信機能と受信機能の両方を有するが、送信手段と受信手段とに分散して送受信機能を実現してもよい。
【０１３６】
送受信部５９０は例えばＰＡＤ（パケット分解組立）機能を有する通信装置等により実現され、データベース９００は例えばハードディスク（磁気ディスク）等により実現される。
【０１３７】
記憶部５６０は処理部５２０や送受信部５９０などのワーク領域となるものでありその機能は例えばＲＡＭ等のハードウエアにより実現される。
【０１３８】
処理部５２０は受信した処理要求に基づき処理を行うもので、その機能は例えばＣＰＵ等により実現される。
【０１３９】
処理部５２０は、判別部５３０、記録データ処理部５４０を含む。
【０１４０】
判別部５３０は受信した処理要求に基づき、どの携帯電話８００が送信したかを判別する。
【０１４１】
記録データ処理部５４０は、受信した処理要求に基づき、データベース９００へアクセスを行い、受信した生活行動情報をユーザーＩＤ（処理要求を行った携帯電話等に対応して設定された識別ＩＤ）毎に管理されるデータベースに記録する処理を行う。
【０１４２】
情報記憶媒体（コンピュータにより使用可能な記憶媒体）５７０は、プログラムやデータなどの情報を格納するものであり、その機能は、光ディスク（ＣＤ、ＤＶＤ）、光磁気ディスク（ＭＯ）、磁気ディスク、ハードディスク、磁気テープ、或いはメモリ（ＲＯＭ）などのハードウェアにより実現できる。
【０１４３】
処理部５２０は、この情報記憶媒体５７０に格納される情報に基づいて本発明（本実施形態）の種々の処理を行う。即ち情報記憶媒体５７０には、本発明（本実施形態）の手段（特に処理部１００に含まれるブロック）を実行するための情報（プログラム或いはデータ）が格納される。
【０１４４】
また、データベース９００は、データの送受信を行う送受信部９９０と、記録データ９３０を利用可能な状態で記憶した情報記憶部５２０とを含んで構成されている。
【０１４５】
記録データ９３０、ユーザーＩＤに関連づけて、生体情報、生体情報の計測日時、生体情報計測を行った際の行為やタイミングに関する情報等が記憶されている。
【０１４６】
図１２は本実施の形態の応用例について説明するための図である。
【０１４７】
例えば、携帯電話を用いて本実施の形態の生体情報取得装置を実現する場合、記録データ記憶部（例えば携帯電話内部の記憶部）に記録されている生活行動情報（生体情報、生体情報の計測日時、生体情報計測を行った際の行為やタイミングに関する情報等）を１日単位で、所定の時刻に、所定の登録先アドレス（例えば遠方に住む家族の携帯電話１０２０のアドレス等を予め登録しておく）に自動的に送信するようにしてもよい（１０１０参照）。このようにすると、遠方に住む家族の健康状態の管理等を行うことができる。
【０１４８】
また、測定した生体情報を健康管理サーバ１０５０に送信するようにしてもよい（１０３０参照）。そして健康管理サーバ１０５０において、所定のタイミングで（例えば周に１回）、所定のアルゴリズムに基づき受診した生体情報を解析して、解析結果を所定のタイミングで対応する携帯電話８００に送信するようにしてもよい（１０４０参照）。
【０１４９】
図１３、図１４はサーバを活用した健康指導サービスの一例について説明するための図である。
【０１５０】
例えば生体情報取得装置で脈拍と運動量の生体情報が計測できるように構成する。ユーザーは生体情報取得装置で起床直後の安静時脈数と運動前後の脈拍測定を行う。ここで生体情報取得装置は、ユーザーの脈拍情報と、運動時の運動量（歩数等）を計測し内部に記憶しておく。
【０１５１】
そして所定のタイミング（測定毎に送信してもよいし、例えば１日分や１週間分まとめて送信してもよい）で記憶させておいたユーザーの脈拍情報と運動時の運動量（歩数等）等をサーバに送信する。
【０１５２】
サーバでは、受信した情報に基づき専門家（医師等）が解析を行い、図１３に示すような解析結果や指導、アドバイス等を携帯電話に送信するようにしてもよい。
【０１５３】
また図１４に示すように脈拍（安静時や運動後の回復時等）や歩数等を所定の期間レベルで観察し、グラフ表示するようにしてもよい。
【０１５４】
以上本発明を適用した好適な実施の形態について説明してきたが、本発明の適用は上述した実施例に限定されない。
【０１５５】
なお、本発明は本実施形態に限定されず、本発明の要旨の範囲内で種々の変形実施が可能である。
【図面の簡単な説明】
【０１５６】
【図１】生体情報計測システム１０の機能ブロック図。
【図２】記録データについて説明するための図。
【図３】記録される行為やタイミングの項目について説明するための図。
【図４】記録データに基づき作成された健康日記の一例。
【図５】生体情報計測部の機能ブロック図。
【図６】生体情報として脈波を測定する場合の生体情報計測部の構成図。
【図７】生体情報として温度を測定する場合の生体情報計測部の構成図。
【図８】図８（Ａ）〜（Ｄ）は、本実施の形態の電子機器の一例。
【図９】処理の流れを示すフローチャートである。
【図１０】携帯電話を利用した本実施形態の生体情報計測システムの構成。
【図１１】生体情報取得システム（携帯電話）と管理サーバの機能ブロック図。
【図１２】本実施の形態の応用例について説明するための図である。
【図１３】サーバを活用した健康指導サービスの一例。
【図１４】サーバを活用した健康指導サービスの一例。
【符号の説明】
【０１５７】
１０  生体情報計測システム、２０  処理部、３０  生活行動記録処理部、４０  生体情報計測部、５０  センサ、６０  計測日時所得部、７０  通信処理部、８０  記録データ記憶部、９０  表示部、８００  携帯電話
【図１】
2007050162.tif 000003
【図２】
2007050162.tif 000004
【図３】
2007050162.tif 000005
【図４】
2007050162.tif 000006
【図５】
2007050162.tif 000007
【図６】
2007050162.tif 000008
【図７】
2007050162.tif 000009
【図８】
2007050162.tif 000010
【図９】
2007050162.tif 000011
【図１０】
2007050162.tif 000012
【図１１】
2007050162.tif 000013
【図１２】
2007050162.tif 000014
【図１３】
2007050162.tif 000015
【図１４】
2007050162.tif 000016